(57)【要約】【課題】側パネル等の被取付物を、壁面の左右方向の所望の位置に安定的に設置し得る支持体取付装置及びこれを備えた壁付収納装置を提供する。【解決手段】支持体取付装置１０は、上方開口の凹溝１２が長手方向に沿って設けられ、壁面２に沿わせるようにして略水平に配設される上レール１１と、上下方向に長尺に形成された支持体３０の上端部を前記上レールに取り付ける上端取付部材２０と、前記支持体の下端部を保持する下端保持部材１４と、を備えており、前記上端取付部材は、前記支持体の上端側に固定される固定部２１と、該固定部に上下方向に移動自在に保持され、前記上レールの前記凹溝に引っ掛けられる引掛部２４と、該引掛部を前記固定部に対して下方に付勢する付勢部材２９と、を備えていることを特徴とする。【選択図】図１
2013188295.tif 000002
【特許請求の範囲】
【請求項１】
上方開口の凹溝が長手方向に沿って設けられ、壁面に沿わせるようにして略水平に配設される上レールと、上下方向に長尺に形成された支持体の上端部を前記上レールに取り付ける上端取付部材と、前記支持体の下端部を保持する下端保持部材と、を備えており、
前記上端取付部材は、前記支持体の上端側に固定される固定部と、該固定部に上下方向に移動自在に保持され、前記上レールの前記凹溝に引っ掛けられる引掛部と、該引掛部を前記固定部に対して下方に付勢する付勢部材と、を備えていることを特徴とする支持体取付装置。
【請求項２】
請求項１において、
前記引掛部には、上下方向に延びる軸部が連なるように設けられており、前記固定部には、前記軸部が挿通される軸孔が上下に貫通して設けられており、前記付勢部材は、前記引掛部の軸部が挿通され、前記固定部の軸孔内に配設された圧縮コイルばねであることを特徴とする支持体取付装置。
【請求項３】
請求項１または２において、
前記引掛部は、前記上レールの凹溝に向けて垂れ下がるように設けられた引掛片と、該引掛片の先端部に設けられ、前記上レールの凹溝に嵌め込まれる樹脂系材料からなる嵌合部と、を備えていることを特徴とする支持体取付装置。
【請求項４】
請求項１乃至３のいずれか１項に記載の支持体取付装置と、当該支持体取付装置に取り付けられる支持体としての左右の側板状体と、これら左右の側板状体の間に設けられる収納部材と、を備えていることを特徴とする壁付収納装置。
【請求項５】
請求項４において、
前記支持体取付装置は、前記上端取付部材を左右両側に設けた上桟をさらに備えており、前記左右の側板状体のそれぞれの上端部が前記上桟の両端部に固定される構造とされていることを特徴とする壁付収納装置。
【発明の詳細な説明】
【技術分野】
【０００１】
本発明は、壁面に沿わせるように設置される収納装置等の構成部材等を保持する支持体取付装置及びこれを備えた壁付収納装置に関する。
【背景技術】
【０００２】
家具等の収納装置を壁面に沿わせて設置する場合には、耐震対策等の観点から壁面に固定することが望まれていた。その場合、躯体側の制約から任意の位置には固定が困難であったり、固定位置が制約されるといった問題や、一旦設置すると別の場所へ移設することが容易にできないという問題があった。
下記特許文献１では、壁面収納家具の前面に筆記用乃至掲示用のボードを、上下レールを介してスライド可能に支持させた壁面収納家具におけるボードの設置構造が提案されている。このボード設置構造では、ボードの上端部が車輪を介して上レールに懸吊支持され、下端部が案内ローラを介して下レールに支持されており、ボードが左右に移動自在とされ、レールの左右方向の所望の位置にボードを位置させることができる構造とされている。
【先行技術文献】
【特許文献】
【０００３】
【特許文献１】実開平１−１４３９４６号公報
【発明の概要】
【発明が解決しようとする課題】
【０００４】
ところで、このようなボード設置構造を利用して、壁面にレールを配設し、壁面に沿わせて設置される家具等の収納装置の構成部材となる側パネル等の上下方向に長尺に形成された被取付物を、レールの左右方向の所望の位置に設置する構成とすることも考えられる。
しかしながら、このようなものでは、レール等の施工誤差や、レール等の固定対象の不陸等に起因して被取付物の上下端部が取り付けまたは保持される対象となる上下の部材間の間隔が壁面の左右方向に沿って一定とならないことが考えられる。このような場合には、被取付物を壁面の左右方向の所望の位置に安定的に設置することが困難となることが考えられ、更なる改善が望まれる。
【０００５】
本発明は、上記実情に鑑みてなされたものであり、側パネル等の被取付物を、壁面の左右方向の所望の位置に安定的に設置し得る支持体取付装置及びこれを備えた壁付収納装置を提供することを目的とする。
【課題を解決するための手段】
【０００６】
上記目的を達成するために、本発明に係る支持体保持装置は、上方開口の凹溝が長手方向に沿って設けられ、壁面に沿わせるようにして略水平に配設される上レールと、上下方向に長尺に形成された支持体の上端部を前記上レールに取り付ける上端取付部材と、前記支持体の下端部を保持する下端保持部材と、を備えており、前記上端取付部材は、前記支持体の上端側に固定される固定部と、該固定部に上下方向に移動自在に保持され、前記上レールの前記凹溝に引っ掛けられる引掛部と、該引掛部を前記固定部に対して下方に付勢する付勢部材と、を備えていることを特徴とする。
【０００７】
本発明においては、前記引掛部には、上下方向に延びる軸部が連なるように設けられており、前記固定部には、前記軸部が挿通される軸孔が上下に貫通して設けられており、前記付勢部材は、前記引掛部の軸部が挿通され、前記固定部の軸孔内に配設された圧縮コイルばねであってもよい。
また、本発明においては、前記引掛部は、前記上レールの凹溝に向けて垂れ下がるように設けられた引掛片と、該引掛片の先端部に設けられ、前記上レールの凹溝に嵌め込まれる樹脂系材料からなる嵌合部と、を備えていてもよい。
【０００８】
さらに、上記目的を達成するために、本発明に係る壁付収納装置は、本発明に係る支持体取付装置と、当該支持体取付装置に取り付けられる支持体としての左右の側板状体と、これら左右の側板状体の間に設けられる収納部材とを備えていることを特徴とする。
【０００９】
本発明においては、前記支持体取付装置は、前記上端取付部材を左右両側に設けた上桟をさらに備えており、前記左右の側板状体のそれぞれの上端部が前記上桟の両端部に固定される構造とされていてもよい。
【発明の効果】
【００１０】
本発明に係る支持体取付装置及びこれを備えた壁付収納装置は、上述のような構成としたことで、側パネル等の被取付物を、壁面の左右方向の所望の位置に安定的に設置することができる。
【図面の簡単な説明】
【００１１】
【図１】（ａ）〜（ｃ）は、いずれも本発明の一実施形態に係る支持体取付装置及びこれを備えた壁付収納装置の一例を模式的に示し、図５におけるＸ−Ｘ線矢視に対応させた一部省略概略縦断面図である。
【図２】（ａ）は、図４におけるＹ−Ｙ線矢視に対応させた一部省略概略分解縦断面図、（ｂ）は、図４におけるＺ−Ｚ線矢視に対応させた一部省略概略分解縦断面図である。
【図３】（ａ）は、同支持体取付装置が備える上端取付部材の一例を模式的に示す概略分解斜視図、（ｂ）は、同支持体取付装置が備える下端保持部材の一例を模式的に示す一部を省略した概略分解斜視図である。
【図４】同壁付収納装置を模式的に示す一部破断概略分解斜視図である。
【図５】同壁付収納装置を模式的に示す一部破断概略斜視図である。
【発明を実施するための形態】
【００１２】
以下に本発明の実施の形態について、図面に基づいて説明する。
なお、一部の図では、他図に付している詳細な符号の一部を省略している。
また、以下の実施形態では、支持体取付装置及びこれを備えた壁付収納装置が施工された状態において、当該壁付収納装置に対面した状態を基準として、前後方向や上下方向等の方向を説明する。
【００１３】
図１〜図５は、本実施形態に係る支持体取付装置及びこれを備えた壁付収納装置の一例を示す図である。
本実施形態に係る壁付収納装置１は、図５に示すように、壁面２に沿うように配設される上下方向に長尺に形成された支持体３０と、この支持体３０を壁面２に対して取り付ける支持体取付装置１０と、を備えている。
本実施形態では、支持体３０として、収納ユニットを構成する左右の側板状体３０，３０を例示している。図例では、三枚の側板状体３０，３０，３０を壁面２に沿わせるように取り付け、これら三枚の側板状体３０，３０，３０によって左右に二つの収納ユニットを構成した例を示している。つまり、中央の側板状体３０を、左右の各収納ユニットの左右の側板状体の一方の側板状体として共用した例を示している。
【００１４】
収納ユニットは、左右の側板状体３０，３０と、これら左右の側板状体３０，３０の間に設けられる収納部材３１と、を備えている。本実施形態では、収納部材３１を、左右の側板状体３０，３０間に架け渡されるように設けられた棚板３１とし、上下に複数枚の棚板３１を、各収納ユニットに設けた例を示している。
収納部材３１としては、棚板３１に限られず、引出や、ハンガー等を掛ける吊下棒（パイプ部材）、天板、スライド棚、底板等を収納部材３１としてもよい。
【００１５】
また、収納ユニットを構成する側板状体３０，３０は、略矩形平板状とされている。これら各側板状体３０，３０は、壁面２に対して略直交する方向（前後方向）に、それぞれの板幅方向を沿わせるようにして支持体取付装置１０に取り付けられる。
側板状体３０，３０は、枠組み形成された枠状体の左右面（表裏面）に面材等を貼り合わせることにより形成されたいわゆるフラッシュパネルとしてもよい。または、側板状体３０，３０は、略矩形平板状の中実のパネル（側板）としてもよい。さらには、側板状体３０，３０は、複数本のフレームを枠組みして形成された枠状体とされたものとしてもよい。
なお、収納ユニットを構成する互いに隣り合う側板状体３０，３０の各対向面に、棚板等の収納部材３１を支持する複数の係合突起等を、上下方向に沿って間隔を空けて設けるようにしてもよい。また、収納部材３１を、引出やスライド棚とした場合には、上記対向面に、適宜、公知のスライドレール等を設けるようにしてもよい。
なお、図例では、各収納ユニットを構成する側板状体３０，３０の前後寸法（板幅寸法）を略同寸法とした例を示しているが、この態様に限られず、前後寸法（板幅寸法）を異なる寸法としてもよい。
【００１６】
また、支持体３０としては、上記の側板状体３０に限られず、例えば、略棒状の棒状支持体としてもよく、複数の棒状支持体を壁面２に沿わせるように取り付け、これら棒状支持体の前面側に、薄型テレビや絵画等の壁面取付物を取り付け可能とした態様としてもよい。また、支持体３０としては、パネル表面が壁面２に対して略平行となるように配設される略矩形平板状のパネル状支持体としてもよい。このパネル状支持体の前面側に薄型テレビや鏡、コルクボード、絵画、かざり棚等の壁面取付物を取り付け可能とした態様としてもよい。
【００１７】
図１に示すように、上記した支持体（側板状体）３０を壁面２に対して取り付ける支持体取付装置１０は、支持体３０の下端部を保持する下端保持部材１４を備えている。
本実施形態では、下端保持部材１４は、壁面２に沿わせるようにして略水平に配設される下レール１８と、支持体３０の下端部を下レール１８に取り付ける下端取付部材１５とを備えている。
【００１８】
下レール１８は、図２（ｂ）に示すように、下方に向けて開口した形状とされている。この下レール１８には、その長手方向に沿って凹溝１９が形成されている。図例では、縦断面略コ字状（略Ｕ字状または略Ｃ字状）とされた下レール１８を示している。
下レール１８は、溝底片部（天片部）と、この溝底片部の前後方向（壁面２に垂直な方向）の両端縁部から垂れ下がるように設けられた両側壁部とを備えており、これら溝底片部と両側壁部とは一体的に形成されている。これら溝底片部と両側壁部とによって、凹溝１９が区画形成されている。また、溝底片部の下面及び両側壁部の互いに対向する面によって凹溝１９の内周面１９ａが構成されている。
【００１９】
図例では、下レール１８を下側固定具１８Ａによって壁面２に固定した例を示している（図１も参照）。
下側固定具１８Ａは、壁面２に対して略平行とされる固定片部を備えており、固定片部の前面側の上下方向途中位置に下レール１８が固定されている。
下レール１８の壁面２側の側壁部がこの固定片部の前面側に固定されて、下レール１８が下側固定具１８Ａに固定される構造とされている。また、下側固定具１８Ａは、固定片部の後面側を壁面２に当接させて、壁面２に固定される構造とされている。また、下側固定具１８Ａは、固定片部の下端から前方に向けて突出するように設けられ、床面４に近接配置または当接される抜止片部を備えている。また、図例では、上下方向途中位置に壁面２から離れる方向に突出する突出片部を設けた固定片部を示しており、この突出片部の下面に上レール１１の溝底片部が固定されている例を示している。なお、下側固定具１８Ａを、壁面２に固定する態様に代えて、または加えて、床面４に固定する態様としてもよい。また、下側固定具１８Ａと下レール１８とは、それぞれに別体とされたものを溶接等によって接合したものとしてもよく、または、一体的に形成されたものとしてもよい。
【００２０】
下端取付部材１５は、下レール１８に係合する構造とされている。下端取付部材１５は、本体部１６と、この本体部１６の下端側に設けられ、下レール１８の凹溝１９に係合する係合部１７とを備えている。
本体部１６は、略直方体の形状とされており、図例では、前後方向に見て略正方形状とされ、上下方向に長尺とされた本体部１６を示している（図３（ｂ）参照）。
【００２１】
係合部１７は、床面４と略平行な底片部と、この底片部の後端縁（壁面２側の端縁）から下レール１８の凹溝１９に向けて立ち上がるように設けられた係合片を備えている。底片部と係合片とは一体的に形成されており、係合部１７は、側面視して略Ｌ字状とされている。
底片部は、略矩形の細長平板状とされており、下レール１８の長手方向に沿って長尺に形成されている。
係合片は、略矩形の細長平板状とされており、下レール１８の長手方向に沿って長尺に形成されている。この係合片が下レール１８の凹溝１９に挿入されて、下端取付部材１５の係合部１７が凹溝１９に係合する。
また、この係合部１７は、係合片を下レール１８の凹溝１９に挿入して凹溝１９に係合させた状態では、下側固定具１８Ａの抜止片部（または床面４）によって、下レール１８の凹溝１９から容易には抜け出ないように抑制される。
なお、下端保持部材１４としては、上記のような下レール１８と、この下レール１８に係合し、支持体３０の下端部を下レール１８に取り付ける下端取付部材１５と、を備えた態様に限られない。下端保持部材１４としては、例えば、壁面２や床面４等に支持体３０の下端部を固定する固定金具としてもよい。
【００２２】
また、支持体取付装置１０は、図１に示すように、壁面２に沿わせるようにして略水平に配設される上レール１１と、支持体３０の上端部を上レール１１に取り付ける上端取付部材２０とを備えている。
【００２３】
上レール１１は、図２（ａ）に示すように、上方に向けて開口した形状とされている。この上レール１１には、その長手方向に沿って凹溝１２が形成されている。図例では、縦断面略コ字状（略Ｕ字状または略Ｃ字状）とされた上レール１１を示している。
上レール１１は、下レール１８と略平行となるように、下レール１８との間に上下方向に間隔を空けて壁面２に配設される。
上レール１１は、溝底片部と、この溝底片部の前後方向（壁面２に垂直な方向）の両端縁部から立ち上がるように設けられた両側壁部とを備えており、これら溝底片部と両側壁部とは一体的に形成されている。これら溝底片部と両側壁部とによって、凹溝１２が区画形成されている。また、溝底片部の上面及び両側壁部の互いに対向する面によって凹溝１２の内周面１２ａが構成されている。
【００２４】
図例では、上レール１１を上側固定具１１Ａによって壁面２に固定した例を示している（図１も参照）。
上側固定具１１Ａは、壁面２に対して略平行とされる固定片部を備えており、固定片部の前面側の上下方向途中位置に上レール１１が固定されている。
上レール１１の壁面２側の側壁部がこの固定片部の前面側に固定されて、上レール１１が上側固定具１１Ａに固定されている。図例では、前面側に上下方向に複数の段差部を設けた固定片部を示しており、この段差部に上レール１１の壁面２側の側壁部及び溝底片部が固定されている。また、上側固定具１１Ａは、固定片部の後面側を壁面２に当接させて、壁面２に固定される構造とされている。また、上側固定具１１Ａは、固定片部の上端から前方に向けて突出するように設けられ、天井面３に近接配置または当接される抜止片部を備えている。なお、上側固定具１１Ａを、壁面２に固定する態様に代えて、または加えて、天井面３に固定する態様としてもよい。また、上側固定具１１Ａと上レール１１とは、それぞれに別体とされたものを溶接等によって接合したものとしてもよく、または、一体的に形成されたものとしてもよい。
【００２５】
また、支持体取付装置１０は、図１、図４及び図５に示すように、壁面２に対して略平行に配設される略矩形平板状のパネル体５を備えている。このパネル体５は、壁面２の略全域を覆うように配設される。
図例では、このパネル体５を、上側固定具１１Ａ及び下側固定具１８Ａによって壁面２に固定した例を示している。このパネル体５は、上端部が上側固定具１１Ａの固定片部の下端部の前面側に固定される。また、このパネル体５は、下端部が下側固定具１８Ａの突出片部に固定される。
これにより、パネル体５の上方側及び下方側に、上レール１１及び下レール１８が、上側固定具１１Ａ及び下側固定具１８Ａを介してそれぞれ固定される構造とされている。
【００２６】
このようにパネル体５を、壁面２に対して略平行となるように配設することにより、見栄えを向上させることができる。つまり、例えば、このようなパネル体５を設けずに、壁面２の前面側に上レール１１及び下レール１８が配設される構造とされたものと比べて、支持体取付装置１０に取り付けられた支持体３０と壁面２との間の間隔をより小さくすることができるので、見栄えを向上させることができる。
【００２７】
なお、これら上側固定具１１Ａ及び下側固定具１８Ａに対するパネル体５の固定態様としては、ボルトやねじ等の固定止具によって固定するようにしてもよい。図例では、下側固定具１８Ａの突出片部に上方に向けて突出する係合突部を設け、パネル体５の下端面に、この係合突部が係合する下方に向けて開口する係合溝を設け、これらを係合させてパネル体５の下端部を下側固定具１８Ａに固定した例を示している。
また、パネル体５は、図例のような上側固定具１１Ａ及び下側固定具１８Ａを介して壁面２に固定する態様に代えて、適宜の固定具等によって固定するようにしてもよい。
また、壁面２は、壁仕上げ面としてもよいが、胴縁や桟部材、間柱、通し柱、下地パネル等の壁下地の表面としてもよい。また、鉄筋コンクリート造等の建築物において、直壁仕上げ等とされている場合には、その仕上げ面を壁面２としてもよい。
【００２８】
上端取付部材２０は、図２（ａ）に示すように、支持体３０の上端側に固定される固定部２１と、この固定部２１に上下方向に移動自在に保持され、上レール１１の凹溝１２に引っ掛けられる引掛部２４と、を備えている。また、上端取付部材２０は、この引掛部２４を固定部２１に対して下方に付勢する付勢部材２９を備えている。
【００２９】
固定部２１は、略直方体の形状とされている（図３（ａ）も参照）。図例では、前後方向に見て略正方形状とされ、上下方向に長尺とされた固定部２１を示している。
固定部２１には、図２（ａ）に示すように、引掛部２４の軸部２５が挿通される軸孔２２が上下に貫通して設けられている。軸孔２２は、固定部２１の上面側と下面側とを連通させるように、上面側及び下面側に開口するように設けられている。
また、軸孔２２は、上側開口側が小径部とされ、この小径部の下側にこの小径部よりも大径とされた大径部２３を設けた構造とされている。これら小径部と大径部２３とによってこれら小径部と大径部２３との境界には、段差部２３ａが形成される。
【００３０】
引掛部２４には、図２（ａ）に示すように、上下方向に延びる軸部２５が連なるように設けられている。
軸部２５は、上下方向に長尺な略棒状体とされている。この軸部２５は、上端側が小径部とされ、この小径部の下側にこの小径部よりも大径とされた大径部２６を設けた構造とされている。これら小径部と大径部２６とによってこれら小径部と大径部２６との境界には、段差部２６ａが形成される。
また、軸部２５の小径部は、固定部２１の軸孔２２の小径部に、上下方向に移動自在に挿通される。また、軸部２５の大径部２６は、固定部２１の軸孔２２の大径部２３に、上下方向に移動自在に挿通される。また、この軸部２５の下端部には、固定部２１の軸孔２２に挿通された当該軸部２５の固定部２１に対する上方側への抜止となる抜止部が設けられている。
【００３１】
また、引掛部２４は、上レール１１の凹溝１２に向けて垂れ下がるように設けられた引掛片２７を備えている。この引掛片２７は、細長平板状とされており、上レール１１の長手方向に沿って長尺に形成されている。
また、引掛片２７には、上レール１１の凹溝１２に嵌め込まれる嵌合部２８が設けられている。この嵌合部２８は、樹脂系材料から形成されている。この嵌合部２８としては、上レール１１の凹溝１２への嵌合がなされるように、硬質の合成樹脂系材料から形成されたものとしてもよい。図例では、引掛片２７の上レール１１の長手方向に沿う両側端の先端部に、嵌合部２８，２８をそれぞれに設けた例を示している。また、これら嵌合部２８，２８は、略直方体状の外郭形状とされている（図３（ａ）も参照）。
この嵌合部２８は、その前後方向の寸法が、上レール１１の凹溝１２の両側壁部の互いに対向する面の間の間隔（溝幅寸法）と略同寸法とされている。
嵌合部２８は、嵌合部２８の外周面（前後面及び下面）が、上レール１１の凹溝１２の内周面１２ａ（溝底片部の上面及び両端縁部の互いに対向する面）に当接されて、上レール１１の凹溝１２に嵌合する構造とされている。
【００３２】
また、引掛部２４の軸部２５と引掛片２７とは、連結片によって連結されている。
引掛片２７は、連結片の後端縁から下方に向けて垂れ下がるように設けられており、引掛片２７と連結片とは一連に形成されている。
また、引掛部２４の軸部２５は、その上端側が連結片に固定されている。図例では、連結片に前後方向に長尺な長孔を設け、この長孔を介して挿通されたねじ等の止具によって連結片に軸部２５を固定した例を示している（図３（ａ）も参照）。このように連結片に長孔を設けることで、軸部２５（この軸部２５が挿通された固定部２１）に対して引掛片２７の前後位置を調整することが可能となる。また、このように、引掛部２４の軸部２５の上端部に連結片が固定されることで、固定部２１の軸孔２２に挿通された当該軸部２５の固定部２１に対する下方側への移動が連結片によって防止される。
なお、上記した上レール１１、下レール１８、上端取付部材２０（嵌合部２８を除く）及び下端保持部材１４は、金属系材料等から適宜、上記形状に形成されたものとしてもよい。
【００３３】
本実施形態では、図２（ａ）に示すように、付勢部材２９を、圧縮コイルばね２９としている。この圧縮コイルばね２９は、引掛部２４の軸部２５が挿通され、固定部２１の軸孔２２内に配設されている。
圧縮コイルばね２９は、引掛部２４の軸部２５の段差部２６ａと軸孔２２の段差部２３ａとの間に生じた略円筒状の間隙内に配設される構造とされている。
また、圧縮コイルばね２９の上端部及び下端部が軸孔２２の段差部２３ａ及び軸部２５の段差部２６ａにそれぞれ当接されて、この圧縮コイルばね２９の上下方向への移動が規制される。この圧縮コイルばね２９によって、引掛部２４の軸部２５が、固定部２１に対して下方に付勢される構造とされている。
なお、軸部２５の段差部２６ａ及び軸孔２２の段差部２３ａの上下方向における形成位置は、圧縮コイルばね２９の収容が可能で、圧縮コイルばね２９によって引掛部２４の軸部２５を下方に付勢可能となるように適宜、設定するようにしてもよい。
【００３４】
上記構成とされた上端取付部材２０は、図１及び図２（ａ）に示すように、引掛部２４の引掛片２７（嵌合部２８）を、上レール１１の凹溝１２に挿入し、上レール１１に取り付けられる。このように上端取付部材２０を上レール１１に取り付けた状態では、上端取付部材２０の引掛部２４は、上側固定具１１Ａの抜止片部（または天井面３）によって、上レール１１の凹溝１２から容易には抜け出ないように抑制される。
また、上記構成とされた上端取付部材２０を備えた支持体取付装置１０では、以下のように支持体３０を安定的に設置することができる。
【００３５】
図１（ａ）では、下端保持部材１４と、上レール１１との間の間隔が、標準寸法（例えば、望ましい寸法）とされた箇所において、支持体３０を支持体取付装置１０に取り付けた例を示している。
この標準寸法の箇所においては、上端取付部材２０の圧縮コイルばね２９が自然長よりも圧縮され、引掛部２４が固定部２１に対して下方に付勢された状態で、上レール１１の凹溝１２に引っ掛けられた状態とされている。
【００３６】
なお、この標準寸法における固定部２１に対する引掛部２４の上下方向の位置は、引掛部２４が固定部２１に対して最大限上方に変位した際の位置と、引掛部２４が固定部２１に対して最大限下方に変位した際の位置との間の略中間程度の位置とされている。
また、引掛部２４が固定部２１に対して最大限上方に変位した状態においては、圧縮コイルばね２９は略最大限圧縮された状態とされる。また、引掛部２４が固定部２１に対して最大限下方に変位した状態においても、圧縮コイルばね２９は自然長よりも僅かに圧縮された状態とされる。この状態においても、上端取付部材２０の引掛部２４は、固定部２１に対して下方に付勢された状態とされる。
【００３７】
図１（ｂ）では、下端保持部材１４と、上レール１１との間の間隔が、上記標準寸法よりも小さい箇所において、支持体３０を支持体取付装置１０に取り付けた例を示している。図例では、引掛部２４が、固定部２１に対して最大限下方に変位した位置よりも若干上方に位置している状態を示している。
この箇所においても、上端取付部材２０の圧縮コイルばね２９が自然長よりも圧縮され、引掛部２４が固定部２１に対して下方に付勢された状態で、上レール１１の凹溝１２に引っ掛けられた状態とされている。つまり、支持体３０の上端側に固定された上端取付部材２０の固定部２１の上レール１１に対する上下位置が上記標準寸法よりも上方位置となるような場合にも、上端取付部材２０の引掛部２４は、上レール１１の凹溝１２に引っ掛けられる。
【００３８】
図１（ｃ）では、下端保持部材１４と、上レール１１との間の間隔が、上記標準寸法よりも大きい箇所において、支持体３０を支持体取付装置１０に取り付けた例を示している。図例では、引掛部２４が、固定部２１に対して最大限上方に変位した位置よりも若干下方に位置している状態を示している。
この箇所においても、上端取付部材２０の圧縮コイルばね２９が自然長よりも圧縮され、引掛部２４が固定部２１に対して下方に付勢された状態で、上レール１１の凹溝１２に引っ掛けられた状態とされている。つまり、支持体３０の上端側に固定された上端取付部材２０の固定部２１の上レール１１に対する上下位置が上記標準寸法よりも下方位置となるような場合にも、上端取付部材２０の引掛部２４は、上レール１１の凹溝１２に引っ掛けられる。
【００３９】
また、本実施形態では、支持体取付装置１０は、図４及び図５に示すように、上端取付部材２０，２０を左右両側に設けた上桟３５をさらに備えている。
上桟３５は、図３（ａ）に示すように、左右方向に長尺な略矩形平板状とされている。上桟３５の左右両端の後面側には、それぞれ上端取付部材２０，２０が、固定部２１，２１の前面を上桟３５の後面に当接させるようにして取り付けられている。
また、この上桟３５の両端部に、左右の側板状体３０，３０のそれぞれの上端部が固定される構造とされている。本実施形態では、上桟３５の両側端面に、左右の側板状体３０，３０の内側面（対向面）を当接させ、左右の側板状体３０，３０を上桟３５の両端部に固定する構造としている。
【００４０】
図例では、上桟３５の両端部に、左右の側板状体３０，３０のそれぞれの上端部に設けられた連結ピン（図４参照）に係止する支持体固定部３５ａ，３５ａを設けた例を示している。図例では、これら支持体固定部３５ａ，３５ａを、上桟３５の両端部の下端部前面側に露出するように設けた例を示している。
このような支持体固定部３５ａ，３５ａとしては、側板状体３０に設けられた連結ピンが挿入される挿入穴を設け、この挿入穴に挿入された連結ピンに係止し、ドライバー等の治具で操作されるカム状体を内蔵したカムロック状の連結金具を採用するようにしてもよい。
また、左右の側板状体３０，３０のそれぞれの上端部に設けられた連結ピンは、各側板状体３０，３０の内側面に互いに対向する方向に沿って突出するように設けられている。この連結ピンは、上桟３５の各支持体固定部３５ａ，３５ａに応じた位置となるように各側板状体３０，３０に設けられている。
つまり、本実施形態では、上端取付部材２０，２０を左右両側に設けた上桟３５を介して、左右の側板状体３０，３０の上端部を上レール１１に取り付ける態様としている。
【００４１】
また、本実施形態では、支持体取付装置１０は、図４及び図５に示すように、下端保持部材１４の下端取付部材１５，１５を左右両側に設けた下桟３６をさらに備えている。
下桟３６は、図３（ｂ）に示すように、左右方向に長尺な略矩形平板状とされ、左右両端部には、左右方向外方側及び下方側に開口するように形成された収容凹所がそれぞれに設けられている。これら収容凹所に、上記した下端取付部材１５，１５の各本体部１６，１６が収容されるようにして取り付けられる。
また、この下桟３６の両端部に、左右の側板状体３０，３０のそれぞれの下端部が固定される構造とされている。本実施形態では、下桟３６の両側端面に、左右の側板状体３０，３０の内側面（対向面）を当接させ、左右の側板状体３０，３０を下桟３６の両端部に固定する構造としている。
【００４２】
図例では、下桟３６の両端部に、左右の側板状体３０，３０のそれぞれの下端部に設けられた連結ピン（図４参照）に係止する支持体固定部３６ａ，３６ａを設けた例を示している。図例では、これら支持体固定部３６ａ，３６ａを、下桟３６の両端部の上端部前面側に露出するように設けた例を示している。これら支持体固定部３６ａ，３６ａとしては、上記した上桟３５の支持体固定部３５ａ，３５ａと略同様の連結金具を採用するようにしてもよい。また、これら支持体固定部３６ａ，３６ａに応じた位置となるように、各側板状体３０，３０の下端部に上記同様、連結ピンを設けるようにすればよい。
つまり、本実施形態では、下端取付部材１５，１５を左右両側に設けた下桟３６を介して、左右の側板状体３０，３０の下端部を下レール１８に取り付ける態様としている。
【００４３】
次に、本実施形態に係る支持体取付装置１０及びこれを備えた壁付収納装置１の施工手順の一例について説明する。
まず、図１に示すように、上レール１１（上側固定具１１Ａ）を、略水平となるように天井面３に近接させるようにして壁面２に沿わせるように配設する。また、下レール１８（下側固定具１８Ａ）を、略水平となるように床面４に近接させるようにして壁面２に沿わせるように配設する。
また、パネル体５を壁面２に略平行となるようにして、上側固定具１１Ａ及び下側固定具１８Ａを介して壁面２に沿わせるように配設する。なお、パネル体５の上端部の前面側及び上レール１１の前面側を覆うように配設されるカバー体６を設けるようにしてもよい。このようなカバー体６を設けることで、パネル体５の上方側に露出する上レール１１や、パネル体５と上レール１１との境界部分を目立ち難くすることができ、見栄えを向上させることができる。
【００４４】
次いで、図３（ａ）に示すように、上桟３５の左右両端に、それぞれ上端取付部材２０，２０を取り付ける。なお、上桟３５と、その左右両側の上端取付部材２０，２０とは、予め組み付けられた状態とされたものとしてもよい。また、図４に示すように、上桟３５の左右両側に設けた各上端取付部材２０，２０の各引掛部２４，２４を、上レール１１の凹溝１２に引っ掛け、上桟３５を上レール１１に取り付ける。
また、図３（ｂ）に示すように、下桟３６の左右両端部の収容凹所に、下端取付部材１５，１５の本体部１６，１６をそれぞれ嵌め込むようにして取り付ける。なお、下桟３６と、その左右両側の下端取付部材１５，１５とは、予め組み付けられた状態とされたものとしてもよい。また、図４に示すように、下桟３６の左右両側に設けた下端取付部材１５，１５の各係合部１７，１７を、下レール１８の凹溝１９に係合させ、下桟３６を下レール１８に取り付ける。
【００４５】
次いで、図４に示すように、左右の側板状体３０，３０のそれぞれの上端部を、上桟３５の両端部の支持体固定部３５ａ，３５ａにそれぞれ固定し、左右の側板状体３０，３０を上桟３５の両端部にそれぞれ固定する。
また、左右の側板状体３０，３０のそれぞれの下端部を、下桟３６の両端部の支持体固定部３６ａ，３６ａにそれぞれ固定し、左右の側板状体３０，３０を下桟３６の両端部にそれぞれ固定する。
本実施形態では、上下の桟３５，３６の支持体固定部３５ａ，３５ａ，３６ａ，３６ａを、上記したような治具等で操作される連結金具としているので、左右の側板状体３０，３０を上下の桟３５，３６に固定する際の作業性を向上させることができる。また、各側板状体３０，３０と上下の桟３５，３６との固定箇所が側板状体３０，３０の外側面側に露出することがないため見栄えを向上させることができる。
次いで、図５に示すように、上記した各収納ユニットを構成する左右の側板状体３０，３０の間に棚板（収納部材）３１を取り付け、上記した収納ユニットを形成するようにしてもよい。
なお、上記した施工手順は、一例であり、各部や各部材の機能を阻害しないように別手順で行うようにしてもよい。
【００４６】
本実施形態に係る支持体取付装置１０及びこれを備えた壁付収納装置１によれば、側パネル等の被取付物（支持体）３０を、壁面２の左右方向の所望の位置に安定的に設置することができる。
つまり、支持体取付装置１０は、壁面２に沿わせるようにして略水平に配設される上レール１１と、上下方向に長尺に形成された壁付収納装置１の構成部材となる支持体（本実施形態では、側板状体）３０の上端部を上レール１１に取り付ける上端取付部材２０と、支持体３０の下端部を保持する下端保持部材１４とを備えている。従って、側パネル等の支持体３０を、壁面２の左右方向の所望の位置に比較的に簡易に設置することができる。
また、本実施形態では、下端保持部材１４を、下レール１８と、下端取付部材１５とを備えた構造としている。従って、これら上下のレール１１，１８の長手方向の所望の位置に、より簡易に支持体３０を設置することができる。また、上記したように、上下のレール１１，１８に、上下の取付部材２０，１５が引っ掛けや係合によって取り付けられる構成とされている。従って、支持体３０の取り外しや移設等も容易に行うことができる。
【００４７】
また、上端取付部材２０は、支持体３０の上端側に固定される固定部２１と、固定部２１に上下方向に移動自在に保持され、上レール１１の凹溝１２に引っ掛けられる引掛部２４と、引掛部２４を固定部２１に対して下方に付勢する付勢部材２９とを備えている。従って、上レール１１の施工誤差や、この上レール１１の固定対象となる躯体側（天井面３等）の不陸等に起因して、壁面２の左右方向（上レール１１の長手方向）において、支持体３０の下端側の保持部材１４（本実施形態では、下レール１８）と上レール１１との間の間隔が一定でないような場合にも、支持体３０を安定的に設置することができる。
つまり、上記したように、壁面２の左右方向において、支持体３０の下端部の保持部材１４と上レール１１との間の間隔が標準寸法（例えば、望ましい寸法）よりも小さくなっている箇所が存在する場合がある（図１（ｂ）参照）。このような箇所に側パネル等の支持体３０を取り付ける場合にも、上記したように、上レール１１の凹溝１２に挿入された上端取付部材２０の引掛部２４が支持体３０の上端部側に固定された固定部２１に対して付勢部材２９によって下方に付勢され、上レール１１の凹溝１２に比較的に確実に引っ掛けることができる。
また、上記したように、壁面２の左右方向において、支持体３０の下端部の保持部材１４と上レール１１との間の間隔が標準寸法よりも大きくなっている箇所が存在する場合がある（図１（ｃ）参照）。このような箇所に側パネル等の支持体３０を取り付ける場合においても、上記したように、上端取付部材２０の引掛部２４は、支持体３０の上端部側に固定された固定部２１に対して上下方向に移動自在とされているので、引掛部２４が付勢部材２９によって下方に付勢されながらも標準状態よりも上方側とされ、上レール１１の凹溝１２に引っ掛けることができる。
このように、壁面２の左右方向において支持体３０の下端側の保持部材１４と上レール１１との間の間隔にばらつきがある場合でも、壁面２に配設された上レール１１の長手方向の所望の位置に、側パネル等の支持体３０を安定的に設置することができる。
【００４８】
また、本実施形態では、付勢部材２９を、引掛部２４の軸部２５が挿通され、固定部２１の軸孔２２内に配設された圧縮コイルばね２９としている。
従って、例えば、付勢部材２９やこの付勢部材２９に係合する引掛部２４の係合部等を、固定部２１の外側に設けた場合と比べて、付勢部材２９等とその周辺部材との接触等に起因する動作不良や異音の発生等を比較的に抑制することができる。
また、例えば、トーションばねや板ばね等を付勢部材２９とし、これを、固定部２１の内部に設けることも考えられるが、そのような場合と比べて、付勢部材２９の必要となる可動域を小さくすることができる。従って、付勢部材２９の収容空間を小さくすることができ、上端取付部材２０のコンパクト化を図ることができる。
【００４９】
また、本実施形態では、引掛部２４を、引掛片２７の先端部に、上レール１１の凹溝１２に嵌め込まれる樹脂系材料からなる嵌合部２８を設けた構造としている。従って、引掛部２４の嵌合部２８を上レール１１の凹溝１２に嵌め込んで上端取付部材２０を上レール１１に対して取り付けることができ、上端取付部材２０の上レール１１に対する取付強度を向上させることができる。この結果、この上端取付部材２０を介して上レール１１に上端部側が取り付けられる支持体３０の取付強度を向上させることができ、支持体３０をより安定的に設置することができる。
また、引掛部２４の嵌合部２８を樹脂系材料からなるものとしている。従って、例えば、引掛部２４の上レール１１の凹溝１２に挿入される部位を、例えば、金属系材料からなるものとした場合と比べて、取付強度を向上させることが可能でありながらも、比較的に容易に嵌め込むことができる。また、引掛部２４の上レール１１の凹溝１２に挿入される部位と上レール１１の内面との接触等に起因する異音等の発生を比較的に抑制することもできる。
【００５０】
また、本実施形態では、壁付収納装置１は、支持体取付装置１０と、支持体取付装置１０に取り付けられる支持体３０としての左右の側板状体３０，３０と、これら左右の側板状体３０，３０の間に設けられる収納部材３１と、を備えている。従って、壁面２の左右方向の所望の位置において、支持体取付装置１０に左右の側板状体３０，３０を取り付け、これら左右の側板状体３０，３０の間に収納部材３１を設けて収納ユニットを構成することができる。
【００５１】
また、本実施形態では、支持体取付装置１０を、上端取付部材２０，２０を左右両側に設けた上桟３５をさらに備えたものとし、左右の側板状体３０，３０のそれぞれの上端部を上桟３５の両端部に固定する構造としている。従って、上桟３５を、左右の側板状体３０，３０の取り付け位置の幅間隔（収納間口寸法）を決める位置決め部材（スペーサー）として機能させることができ、左右の側板状体３０，３０の位置決めを容易に行うことができる。
また、このように、左右の側板状体３０，３０の位置決めを容易に行うことが可能でありながらも、左右の側板状体３０，３０によって形成される収納ユニットの収納間口を異ならせたい場合や、変更したい場合にも比較的に容易に適用することができる。つまり、上桟３５の長さ寸法（左右寸法）を収納間口に応じたものとすれば、上端取付部材２０や側板状体３０，３０は、共通のものを利用できるので、種々の寸法の収納間口に比較的に容易に適用することができる。
【００５２】
また、本実施形態では、支持体取付装置１０を、下端取付部材１５，１５を左右両側に設けた下桟３６をさらに備えたものとし、左右の側板状体３０，３０のそれぞれの下端部を下桟３６の両端部に固定する構造としている。従って、上記同様、左右の側板状体３０，３０の位置決めを容易に行うことができ、種々の寸法の収納間口に比較的に容易に適用することができる。
【００５３】
なお、本実施形態では、パネル体５を備えた支持体取付装置１０を示しているが、このようなパネル体５を設けないようにしてもよい。
また、本実施形態では、支持体取付装置１０の引掛部２４の引掛片２７の先端部に、上レール１１の凹溝１２に嵌め込まれる嵌合部２８を設けた例を示しているが、このような嵌合部２８を設けない態様としてもよい。
【００５４】
また、本実施形態では、上端取付部材２０，２０を左右両側に設けた上桟３５を介して、左右の側板状体３０，３０の上端部を上レール１１に取り付ける態様とした例を示しているが、このような上桟３５を設けない態様としてもよい。この場合は、例えば、左右の側板状体３０，３０のそれぞれの上端部を各上端取付部材２０，２０に固定し、左右の側板状体３０，３０を上レール１１に取り付けるようにしてもよい。
また、本実施形態では、下端取付部材１５，１５を左右両側に設けた下桟３６を介して、左右の側板状体３０，３０の下端部を下レール１８に取り付ける態様とした例を示しているが、このような下桟３６を設けない態様としてもよい。この場合は、上記同様、例えば、左右の側板状体３０，３０のそれぞれの下端部を各下端取付部材１５，１５に固定し、左右の側板状体３０，３０を下レール１８に取り付けるようにしてもよい。
また、本実施形態では、左右の側板状体３０，３０を備えた壁面収納装置１を例示しているが、このような収納ユニットを構成する左右の側板状体３０，３０を設けずに、上記したパネル状支持体や棒状支持体のみを備えたものとしてもよい。
【符号の説明】
【００５５】
１                壁付収納装置
１０              支持体保持装置
１１              上レール
１２              凹溝
１４              下端保持部材
２０              上端取付部材
２１              固定部
２２              軸孔
２４              引掛部
２５              軸部
２７              引掛片
２８              嵌合部
２９              圧縮コイルばね（付勢部材）
３０              側板状体（支持体）
３１              収納部材
３５              上桟
２                壁面
【図１】
2013188295.tif 000003
【図２】
2013188295.tif 000004
【図３】
2013188295.tif 000005
【図４】
2013188295.tif 000006
【図５】
2013188295.tif 000007